(57)【特許請求の範囲】
【請求項１】
スクロールケーシングの反吸込み側側板には軸貫通部の径の異なる複数の同心円上に複数の取付けネジ穴を設け、
取付ベースには、軸貫通部のスクロールケーシング方向に平行筒状突出部と、前記複数の同心円に対向した円弧状長穴を設け、
前記反吸込み側側板の軸貫通部を前記平行突出部にはめ込み、
前記反吸込み側側板の前記複数の取付けネジ穴と前記取付ベースの前記円弧状長穴とを貫通して固定することにより、
前記スクロールケーシングが回転自在となり吐出口方向を無段階に変更することができる遠心送風機。
【発明の詳細な説明】
【０００１】
【発明の属する技術分野】
本発明は、工場・ビル等で空調用・換気用として使用される遠心送風機に関するものである。
【０００２】
【従来の技術】
従来のこの種の遠心送風機について図６及び図７を参照しながら説明する。
【０００３】
図に示すように、スクロールケーシング１０１の反吸込み側側板１０２は、取付ベース１０３に軸１０４の同心円上の複数の取付けネジ穴１０５で固定されており、前記反吸込み側側板１０２の軸貫通部１０６及び取付ベース１０３の軸貫通部１０７は、軸１０４に接触しない程度の丸穴が設けられており、軸１０４先端部に羽根車１０８を嵌挿した構成となっている。
【０００４】
上記構成において、軸１０４に接続した羽根車１０８が回転することにより、換気・送風が行われることになる。
【０００５】
【発明が解決しようとする課題】
このような従来の遠心送風機では、スクロールケーシング１０１の吐出口方向がある一方向に決まっており、吐出口方向を変更する必要が生じた場合、送風機本体を横向きに置き、スクロールケーシング１０１と取付ベース１０３を分解し、吐出口方向を変更して再度組立てるという複雑で時間を要する作業が必要であった。また、現地に送風機本体が設置された後に吐出口方向を変更する必要が生じると、送風機本体の設置をやり変えなければならないという課題があり、容易に吐出口方向を変更できることが要求されている。
【０００６】
本発明は、このような従来の課題を解決するものであり、送風機本体を設置した後に吐出口方向を変更する場合、設置のやり変えを行うことなく、容易に吐出口方向を変更することのできる遠心送風機を提供することを目的としている。
【０００７】
【課題を解決するための手段】
本発明の遠心送風機は上記目的を達成するために、スクロールケーシングの反吸込み側側板には軸貫通部の径の異なる複数の同心円上に複数の取付けネジ穴を設け、取付ベースには、軸貫通部のスクロールケーシング方向に平行筒状突出部と、前記複数の同心円に対向した円弧状長穴を設け、前記反吸込み側側板の軸貫通部を前記平行突出部にはめ込み、前記反吸込み側側板の前記複数の取付けネジ穴と前記取付ベースの前記円弧状長穴とを貫通して固定することにより、前記スクロールケーシングが回転自在となり吐出口方向を無段階に変更することができるものである。
【０００８】
本発明によれば、スクロールケーシングを固定しているネジを緩めることにより軸貫通部に設けた取付ベースの平行筒状突出部上でスクロールケーシングを回転することが出来、無段階に吐出口方向を変更することのできる遠心送風機が得られる。
【００１５】
【発明の実施の形態】
本発明は、スクロールケーシングの反吸込み側側板には軸貫通部の径の異なる複数の同心円上に複数の取付けネジ穴を設け、取付ベースには、軸貫通部のスクロールケーシング方向に平行筒状突出部と、前記複数の同心円に対向した円弧状長穴を設け、前記反吸込み側側板の軸貫通部を前記平行突出部にはめ込み、前記反吸込み側側板の前記複数の取付けネジ穴と前記取付ベースの前記円弧状長穴とを貫通して固定することにより、前記スクロールケーシングが回転自在となり吐出口方向を無段階に変更することができるものであり、取付けネジを緩めることにより前記スクロールケーシングが回転自在となり吐出口方向を無段階に変更することができる。
【００１９】
以下、本発明の実施例、および参考例について図１〜図５を参照しながら説明する。
【００２０】
【実施例】
（参考例１）
図１及び図２に示すように、軸貫通部１の同心円上に設けられた複数の取付けネジ穴２でスクロールケーシング３の反吸込み側側板４を取付ベース５に取付け、前記取付ベース５の軸貫通部６のスクロールケーシング３の方向に平行筒状突出部７を設け、前記反吸込み側側板４の軸貫通部１を前記平行筒状突出部７にはめ込んだものである。
【００２１】
上記構成において、スクロールケーシング３を固定している取付けネジ８を取外すことにより軸貫通部６に設けた取付ベース５の平行筒状突出部７上でスクロールケーシング３を回転することが出来、スクロールケーシング３を取付ベース５に取付けネジ穴２で固定することにより、多段階に吐出口方向を変更することができる。
【００２２】
（参考例２）
図３に示すように、取付ベース５の軸貫通部６は丸穴とし、スクロールケーシング３の反吸込み側側板４の軸貫通部１は軸９に嵌合する軸受１０を設けたものである。
【００２３】
上記構成において、スクロールケーシング３を固定している取付けネジ８を取外すことにより軸貫通部１に設けた軸受１０によりスクロールケーシング３を回転することが出来、スクロールケーシング３を取付ベース５に取付けネジ穴２で固定することにより、多段階に吐出口方向を変更することができる。
【００２４】
（実施例１）
図４に示すように、軸貫通部１の同心円上に異なるピッチにて設けられた複数の取付けネジ穴２でスクロールケーシング３の反吸込み側側板４を取付ベース５に取付け、前記取付ベース５は前記取付けネジ穴２に対応したピッチの異なる互いに対向した円弧状長穴１１ａ、１１ｂを用いたものである。
【００２５】
上記構成において、スクロールケーシング３を固定している取付けネジ８は取外す必要がなく、緩めるだけでスクロールケーシング３を回転することが出来、前記スクロールケーシング３を再度取付けネジ穴２で取付ベース５に固定することにより、無段階に吐出口方向を変更することができる。
【００２６】
（参考例３）
図５に示すように、スクロールケーシング３の反吸込み側側板４にコの字形状の取手１２を設けたものである。
【００２７】
上記構成において、スクロールケーシング３を回転する際、取手１２を持って作業することにより、吐出口方向を容易に、かつ軽微に変更することができる。
【００２８】
なお、この例では、取手をスクロールケーシングの反吸込み側側板に設けたが、取手をスクロールケーシングの吸込み側側板あるいはスクロールに設けてもよく、その作用効果に差異を生じない。
【００２９】
【発明の効果】
以上の実施例から明らかなように、本発明によれば、スクロールケーシングの吐出口方向を変更する場合、送風機本体の設置のやり変えを行うことなく、容易に、かつ軽微に吐出口方向を変更できる効果のある遠心送風機を提供できる。
【図面の簡単な説明】
【図１】本発明の参考例１の遠心送風機を示す断面図
【図２】  同側面図
【図３】  本発明の参考例２の遠心送風機の断面図
【図４】  本発明の実施例１の遠心送風機の側面図
【図５】  本発明の参考例３の遠心送風機の側面図
【図６】  従来の遠心送風機を示す断面図
【図７】  同側面図
【符号の説明】
１      軸貫通部
２      取付けネジ穴
３      スクロールケーシング
４      反吸込み側側板
５      取付ベース
６      軸貫通部
７      平行筒状突出部
８      取付けネジ
９      軸
１０    軸受
１１ａ  円弧状長穴
１１ｂ  円弧状長穴
１２    取手
１０１  スクロールケーシング
１０２  反吸込み側側板
１０３  取付ベース
１０４  軸
１０５  取付けネジ穴
１０６  軸貫通部
１０７  軸貫通部
１０８  羽根車
【図１】
0004180143.tif 000002
【図２】
0004180143.tif 000003
【図３】
0004180143.tif 000004
【図４】
0004180143.tif 000005
【図５】
0004180143.tif 000006
【図６】
0004180143.tif 000007
【図７】
0004180143.tif 000008